(57)【要約】【課題】  写真フィルムに形成されたコマ画像とバーコード画像とを共にＣＣＤセンサーで読み取ることにより生じる不具合をなくすことができる画像読取装置を提供すること。【解決手段】  写真フィルムＦの搬送面を挟んで一方側に配置される画像読み取り用光源と、搬送面を挟んで他方側に配置され、現像済み写真フィルムＦに形成されたコマ画像と、フィルム幅方向端部に形成されたバーコード画像とを読み取るためのＣＣＤセンサー９と、バーコード画像を読み取るために光路中に配置されるＮＤフィルター３０とを備えた。その好ましい透過率は２５％〜３０％である。【選択図】図５
2005223615.tif 000002
【特許請求の範囲】
【請求項１】
写真フィルムの搬送面を挟んで一方側に配置される画像読み取り用光源と、
前記搬送面を挟んで他方側に配置され、現像済み写真フィルムに形成されたコマ画像と、フィルム幅方向端部に形成されたバーコード画像とを読み取るためのＣＣＤセンサーと、
バーコード画像を読み取るために光路中に配置される減光部材とを備えたことを特徴とする画像読取装置。
【請求項２】
コマ画像を読み取るための第１開口部と、バーコード画像を読み取るための第２開口部とをフィルム搬送面の位置に設けると共に、減光部材を第２開口部に設けていることを特徴とする請求項１に記載の画像読取装置。
【請求項３】
第２開口部の前記一方側に減光部材を配置し、他方側に、バーコード画像をコマ画像側にシフトさせるための光学部材を配置していることを特徴とする請求項２に記載の画像読取装置。
【請求項４】
ＣＣＤセンサーのバーコード画像読み取り領域のゲインを上げる信号処理手段を備えていることを特徴とする請求項１〜３のいずれか１項に記載の画像読取装置。
【請求項５】
前記減光部材はＮＤフィルターであることを特徴とする請求項１〜４のいずれか１項に記載の画像読取装置。
【発明の詳細な説明】
【技術分野】
【０００１】
本発明は、写真フィルムの搬送面を挟んで一方側に配置される画像読み取り用光源と、前記搬送面を挟んで他方側に配置され、現像済み写真フィルムに形成されたコマ画像と、フィルム幅方向端部に形成されたバーコード画像とを読み取るためのＣＣＤセンサーとを備えた画像読取装置に関するものである。
【背景技術】
【０００２】
現像済み写真フィルムのコマ画像とフィルム幅方向両端部に記録されているバーコード画像とをＣＣＤセンサーにより読み取る装置として、下記特許文献１に開示される画像読取装置が知られている。まず現像済み写真フィルムについて図９により説明する。図９に示すように、コマ画像１００の幅方向両側にパーフォレーション１０１（孔）が形成され、さらにその幅方向両側にバーコード画像１０２が形成されている。バーコード画像１０２は、フィルム幅方向の両端部に形成され、フィルム情報やコマ番号等のデータが記録されており、ＤＸコードと呼ばれている。特許文献１では、コマ画像、バーコード画像、パーフォレーションをＣＣＤセンサーによりイメージデータとして読み取っているが、パーフォレーションの部分では読み取り用光源から照射される光が直接ＣＣＤセンサーに入射されるため、入射される光量が大きすぎ、ブルーミングやスミアといった現象がＣＣＤセンサーに発生し画質を低下させる要因となる。そこで、パーフォレーションに対向する位置に写真フィルムと同等の透過率を有するフィルターを配置することで、前述のブルーミング等の発生を防止している。
【０００３】
パーフォレーションの信号を取得するのは、これを基準にコマ画像の位置を特定することであるが、パーフォレーション信号は画像読み取り用のＣＣＤセンサーを用いなくても専用の光センサーを設けることで検出可能である。従って、パーフォレーションをＣＣＤセンサーで読み取らないように構成することも可能であり、この場合は、前述したパーフォレーションを読み取ることに起因するブルーミングやスミアの問題はなくなる。
【０００４】
しかしながら、仮にパーフォレーションをＣＣＤセンサーで読み取らないように構成しても別の原因でブルーミングやスミアの問題が生じうる。図９に示すようにバーコード画像は、暗いバー画像（フィルム幅方向に沿った矩形画像）と明るいバー画像（同じくフィルム幅方向に沿った矩形画像）とを組み合わせて構成されており、明るいバー画像の箇所は何も露光されておらずフィルムベースと同じ濃度となっている。かかる場合、オーバー露光されたコマ画像を読み取ると、コマ画像は濃度が濃く（暗く）なっているため、ＤＸコードの明るいバー画像を読み取ると、その影響でコマ画像の部分に筋ムラが発生し画質を低下させる。これがいわゆるスミアと呼ばれる現象であり、転送ＣＣＤに対して光が漏れてしまうために生じる現象である。オーバー露光されていないコマ画像の場合は、目立たない現象であるが、オーバー露光されたコマ画像の場合は顕著に現われる。
【０００５】
オーバー露光のコマ画像の場合は、ＣＣＤセンサーへ到達する光量が少なくなるため、読み取り速度を遅くすることでＣＣＤの電荷蓄積時間を長くする仕様があるが、読み取り速度を遅くすると、ＤＸコード（明るいバー画像）の部分の電荷がオーバーフローしてしまい、やはり画質を低下させる原因となる。これが、飽和光量以上の強い光が入射することで電荷が溢れ、周囲の画素に余分に電荷が流れ込むブルーミングと呼ばれる現象である。このように、パーフォレーションを取り込まない構成にしても、別の原因で画質を低下させてしまうことがある。
【特許文献１】特開平９−２３８２１８号公報
【発明の開示】
【発明が解決しようとする課題】
【０００６】
本発明は上記実情に鑑みてなされたものであり、その課題は、写真フィルムに形成されたコマ画像とバーコード画像とを共にＣＣＤセンサーで読み取ることにより生じる不具合をなくすことができる画像読取装置を提供することである。
【課題を解決するための手段】
【０００７】
上記課題を解決するため本発明に係る画像読取装置は、
写真フィルムの搬送面を挟んで一方側に配置される画像読み取り用光源と、
前記搬送面を挟んで他方側に配置され、現像済み写真フィルムに形成されたコマ画像と、フィルム幅方向端部に形成されたバーコード画像とを読み取るためのＣＣＤセンサーと、
バーコード画像を読み取るために光路中に配置される減光部材とを備えたことを特徴とするものである。
【０００８】
かかる構成による画像読取装置の作用・効果を説明する。ＣＣＤセンサーにより写真フィルムに形成されたコマ画像とバーコード画像の両方を読み取る。ＣＣＤセンサーと読み取り用光源とは写真フィルムの搬送面を挟んだ形で配置されているので、透過光像をＣＣＤセンサーにより取得する。ここでバーコード画像を読み取る場合、その読み取りの光路中に減光部材（例えば、ＮＤフィルター）を配置する。これにより、バーコード画像の明るいバー画像からＣＣＤセンサーへ入射される光量を低下させることができる。これにより、ＣＣＤセンサーに入射される光量を低下させることができる。その結果、写真フィルムに形成されたコマ画像とバーコード画像とを共にＣＣＤセンサーで読み取ることにより生じる不具合をなくすことができる画像読取装置を提供することができる。
【０００９】
本発明において、コマ画像を読み取るための第１開口部と、バーコード画像を読み取るための第２開口部とをフィルム搬送面の位置に設けると共に、減光部材を第２開口部に設けていることが好ましい。
【００１０】
コマ画像を読み取るための第１開口部と、バーコード画像を読み取るための第２開口部とを別個に設ける。この第２開口部に減光部材を設ける。第２開口部に設けることにより、バーコード画像のエリアを確実に減光させることができる。
【００１１】
本発明において、第２開口部の前記一方側に減光部材を配置し、他方側に、バーコード画像をコマ画像側にシフトさせるための光学部材を配置していることが好ましい。
【００１２】
パーフォレーションを読み取る必要がなければ、バーコード画像をコマ画像側にシフトさせる光学部材を配置しており、コマ画像のすぐ幅方向両側にバーコード画像が位置する形でデータを取得することが好ましい。これにより、ＣＣＤセンサーの画素数を減らし、画像蓄積時間も短縮化することができる。
【００１３】
本発明において、ＣＣＤセンサーのバーコード画像読み取り領域のゲインを上げる信号処理手段を備えていることが好ましい。バーコード画像は、明るいバー画像と暗いバー画像とで構成され、二値化された画像である。従って、減光部材を用いると、両者の信号レベルの差が縮まってくるので、バーコード画像の領域についてはゲインを上げる信号処理を行うことが好ましい。これにより、ＤＸコードを確実に読み取ることができる。
【００１４】
本発明に係る前記減光部材はＮＤフィルターが好ましく、その透過率を２５％〜３０％となるように設定していることが特に好ましい。
【００１５】
透過率が３０％を超えると、ブルーミングやスミアが発生する可能性がある。２５％未満だと、ＣＣＤセンサーへ到達する光量が低下しすぎてしまい、適正露光のコマ画像において、読み取りに時間がかかり過ぎるなどの別の問題が生じる。
【発明を実施するための最良の形態】
【００１６】
本発明に係る画像読取装置の好適な実施形態を図面を用いて説明する。図１は、本発明に係る画像読取装置が用いられる写真処理システムの構成を示す模式図である。
【００１７】
図１は、現像済み写真フィルムに形成されているコマ画像を読み取りデジタルデータ化し、デジタル露光操作方式でペーパー（写真感光材料）に画像を焼付露光して写真プリントを作成する写真処理システムであり、画像読取装置１（フイルムスキャナー）とプリンタプロセッサーＰＲを備えている。画像読取装置１は、図１に示すように照明光学系２と、撮像光学系３と、フィルムキャリア４（フィルム搬送ユニット）とを備えている。
【００１８】
照明光学系２は、フィルムキャリア４内を搬送経路に沿って搬送される写真フィルム（ネガフィルムやポジフィルム）に対して光を照射するために設けられる。照明光学系２は、光源部５と、調光フィルター６と、ミラートンネル７とを備えている。光源部５は、例えば、ハロゲンランプであり、赤（Ｒ）緑（Ｇ）青（Ｂ）の３色の夫々に対応する波長領域の光が含まれている。調光フィルター６は、光源部５からの放射光の色分布を必要に応じて整えるためのものである。従って、光源部５から照射される光は、調光フィルター６とミラートンネル７によって、その色分布や強度分布が調整された後に、写真フィルムＦに照射される。
【００１９】
撮像光学系３は、ズームレンズを含むレンズユニット８と、写真フィルムＦを通過した光を受光するＣＣＤラインセンサー９（以下、ＣＣＤセンサーと省略）を備えている。レンズユニット８は、写真フィルムＦを通過した光をＣＣＤセンサー９上に結像させるために設けられる。なお、図１では、レンズユニット８として１枚のレンズのみが図示されているが、複数のレンズで構成されていても良い。
【００２０】
ＣＣＤセンサー９は、写真フィルムＦの搬送方向（図１の矢印方向であり副走査方向に相当）に直交する方向（主走査方向に相当）に沿って配置されたライン状のセンサーである。ここでＣＣＤセンサー９は、主走査方向つまり写真フィルムＦの幅方向と平行に配列される多数の画素（ピクセル）を有している。ＣＣＤセンサー９は、カラー画像データを取得するために、副走査方向上流側から下流側に沿って互いに所定間隔だけ離間して配置された３つのラインセンサー９ａ，９ｂ，９ｃを備えている。
【００２１】
各ラインセンサー９ａ，９ｂ，９ｃの各撮像面には、Ｒ，Ｇ，Ｂの色分解フィルターのいずれかが夫々取り付けられており、Ｒ，Ｇ，Ｂの各色に対応するように割り当てられている。つまり、赤色に対応するラインセンサー９ａの撮像面には写真フィルムＦを透過した光の赤色成分のみを通過させるカラーフィルタが、これと同様に、緑色に対応するラインセンサー９ｂの撮像面には緑色成分のみを通過させるカラーフィルタが、青色に対応するラインセンサー９ｃの撮像面には青色成分のみを通過させるカラーフィルタが取り付けられている。
【００２２】
データ処理部１０は、各ラインセンサー９ａ，９ｂ，９ｃの画素から出力される各画素信号をサンプルホールドすることにより、各画素信号を連続した画像信号にするとともに、この各画素信号を所定のビット数のデジタル信号に変換した後に、画像処理部１１に送出する。画像処理部１１では、コマ画像の画像データとバーコード画像の画像データを分離する。バーコード画像に記録されているデータを解析し、そのデータの一部は印字装置１２に送出される。印字装置１２は、好ましくは、ドットインパクト式のプリンタが使用され、ペーパーの裏面にＤＸコードから取得された情報（例えば、コマ番号やフィルムに関する情報）を印字する。また、画像処理部１１では、オペレータにより入力された色・濃度の補正データに基づいた画像処理や、写真プリント作成のために必要とされる種々の画像補正処理を実行する機能を有する。また、色・濃度の補正データについても印字装置１２に送信され、プリント裏面にデータを印字する。後述するようにデータ処理部１０は、バーコード画像の領域の画像信号について、ゲインを上げる処理を行う機能を有する。画像処理部１１で画像処理が施されたコマ画像の画像データは、露光エンジン１３に転送される。
【００２３】
次に、プリンタプロセッサーＰＲの構成を説明する。ペーパーマガジンＭ１，Ｍ２には、写真感光材料であるペーパーがロールの形態で収容されている。いずれか一方のペーパーマガジンＭ１．Ｍ２から長尺状のペーパーが引き出されていき、搬送経路途上に設けられたペーパーカッター１４によりプリントサイズにカットされる。振り分け搬送機構１５により、ペーパーは１列から複列に搬送状態が切り替えられる。
【００２４】
印字装置１２は、ペーパーの裏面に種々のデータを印字するための装置であり、好ましくはドットインパクト式のプリンタが用いられる。バーコード画像であるＤＸコードから取得されたデータや、オペレータにより入力された色・濃度の補正データ等が印字される。露光エンジン１３は、画像処理部１１から転送されてきた画像データに基づいて、ペーパーに画像を焼付露光する。露光エンジン１３は、レーザーエンジン、ＰＬＺＴエンジン等の種々の構造のものを採用することができる。画像が焼付露光されたペーパーは、搬送機構１６により搬送されて現像処理部１７に送り込まれる。現像処理部１７にて現像処理が施され、乾燥処理部１８で乾燥処理が施された後、ペーパー排出部１９から仕上がりの写真プリントが装置外部に排出される。
【００２５】
＜画像読取装置の構成＞
フィルムキャリア４は、照明光学系２と撮像光学系３との間に配置されており、写真フィルムＦに対する光の照射範囲を規定すると共に、ＣＣＤセンサー９によるスキャニングのために写真フィルムＦを副走査方向に沿って一定速度で搬送するためのものである。
【００２６】
フィルムキャリア４は、図２に示すように、搬送される写真フィルムＦの下方に位置するベース部材４０と、搬送される写真フィルムＦの上方に位置するカバー部材４１と、写真フィルムＦを搬送経路に沿って搬送させるためのフィルム搬送機構４２とを備えている。
【００２７】
ベース部材４０とカバー部材４１とは、これらの間に形成される空間により写真フィルムＦを支持するようにしている。そして、ベース部材４０の照明光学系２の光軸Ｌ（図では一点鎖線で示している）に対応する位置には、開口形成ブロック４３が設けられている。また、カバー部材４１の照明光学系２の光軸Ｌに対応する位置には、ミラートンネル７を通過した光をフィルム面に導くように開口部４１ａが形成されている。
【００２８】
開口形成ブロック４３は、照明光学系２から照射されて写真フィルムＦを透過した光をスリット光として撮像光学系３に導く機能を有する。従って、開口形成ブロック４３の照明光学系２の光軸Ｌに対応する位置には、図３及び図４に示すように、主走査方向に沿って形成されたスリット状の第１開口部４４と、第１開口部４４の幅方向両側に形成された２つの第２開口部４５とが設けられている。本実施形態では、フィルムキャリア４内の写真フィルムＦは、開口形成ブロック４３の第１開口部４４及び２つの第２開口部４５の上端部に当接する状態で搬送される。
【００２９】
第１開口部４４は、開口形成ブロック４３の幅方向中央部近傍に形成されており、副走査方向に沿う長さが１ｍｍ程度の幅寸法を有している。また、第１開口部４４は、写真フィルムＦの幅方向中央部近傍に形成されるコマ画像を透過した光が通過可能な大きさに設定されている。従って、第１開口部４４の主走査方向に沿う長さは、写真フィルムＦに形成されるコマ画像の幅と同じ長さか、それよりもわずかに小さな長さとなっている。なお、第１開口部４４の主走査方向の長さは、写真フィルムＦのパーフォレーションには到達しない長さに設定されている。パーフォレーションとは、図９に示すように、写真フィルムＦの幅方向両側において、その長さ方向に沿って配列された多数の開口孔１０１のことである。
【００３０】
２つの第２開口部４５は、副走査方向において、第１開口部４４とほぼ同じ長さを有しており、写真フィルムＦの幅方向両端部近傍のＤＸコードが表示された領域（バーコード画像が形成される領域）を透過した光が通過可能に設けられている。すなわち、パーフォレーションよりも更に幅方向外側を透過した光が通過可能に設けられている。従って、２つの第２開口部４５は、第１開口部４４の両側延長線上に第１開口部４４を挟むように配置されている。また、２つの第２開口部４５の主走査方向に沿う長さは、第１開口部４４よりも短く、写真フィルムＦのバーコード画像が形成されるエリアとほぼ同じ長さに設定されている。
【００３１】
このように、第１開口部４４と２つの第２開口部４５とは、パーフォレーションの幅とほぼ同じ間隔だけ離間した状態で形成されている。そのため、開口形成ブロック４３の第１開口部４４と２つの第２開口部４５との間には、隔壁４６が夫々存在する。なお、前述のように、隔壁４６は、写真フィルムＦのパーフォレーションに対応する位置に設けられることになる。従って、写真フィルムＦのパーフォレーションを通過しようとする光は隔壁４６によって、遮断される。
【００３２】
写真フィルムＦに形成されたコマ画像を透過した光は、第１開口部４４を通過して撮像光学系３に導かれる。一方、写真フィルムＦのバーコード画像を透過した光は、第２開口部４５を通して撮像光学系３に導かれる。なお、前述したように、開口形成ブロック４３の第１開口部４４と第２開口部４５との間は、隔壁４６により遮光されているので、写真フィルムＦのパーフォレーションを通過した光が撮像光学系３に導かれることはない。従って、写真フィルムＦのコマ画像とバーコード画像を透過した光のみがＣＣＤセンサー９に到達して、写真フィルムＦのパーフォレーションを通過した光はＣＣＤセンサー９に到達しない。
【００３３】
フィルム搬送機構４２は、搬送ローラ対４７，４８と、ガイドローラ４９，５０と、押さえローラ５１，５２とを備えている。搬送ローラ対４７，４８は、ベース部材４０の開口形成ブロック４３よりもフィルム搬送方向上流側と下流側に夫々配置されている。ここで、搬送ローラ対４７，４８は、ベース部材４０とカバー部材４１とに分かれて配置された４つの搬送ローラ４７ａ，４８ａを夫々有している。これら搬送ローラ４７ａ，４８ａは、いずれも略円板状のローラであり、これらのローラを軸支するシャフト４７ｂ，４８ｂと共に、回転可能に軸支されている。また、搬送ローラ４７ａ，４８ａは、写真フィルムＦの幅方向両側端部近傍に対応する位置に配置されている。従って、搬送ローラ対４７，４８は、フィルムキャリア４内において、写真フィルムＦの幅方向両側端部近傍を挟持した状態で搬送させることができる。なお、各搬送ローラ対４７，４８は、それらの連結された不図示の駆動モータにより回転駆動される。
【００３４】
ガイドローラ４９，５０は、写真フィルムＦの搬送面の上方側において、カバー部材４１の開口部４１ａよりも副走査方向上流側と下流側に夫々配置されている。ここで、ガイドローラ４９，５０は、いずれも略円柱状のローラであり、写真フィルムＦの幅とほぼ同じ長さを有している。また、ガイドローラ４９，５０は、それらを支持するシャフト４９ａ，５０ａと共にそれらの軸芯周りに回転自在になっている。そして、ガイドローラ４９，５０の下端部が写真フィルムＦの搬送面とほぼ一致するように配置されている。従って、ガイドローラ４９，５０は、写真フィルムＦの上面に当接することにより、写真フィルムＦの走行性を向上させることができる。
【００３５】
押さえローラ５１，５２は、写真フィルムＦの搬送面の下方側において、ベース部材４０の開口形成ブロック４３よりも副走査方向上流側及び下流側に夫々配置されている。ここで押さえローラ５１，５２は、いずれも略円筒状のローラであり、写真フィルムＦの幅方向中心位置近傍に配置されている。また、押さえローラ５１，５２は、それらを支持する不図示のシャフトと共にそれらの軸芯周りに回転自在になっている。そして、押さえローラ５１，５２の上端部が写真フィルムＦの搬送面とほぼ一致するように配置されている。従って、押さえローラ５１，５２は、フィルムキャリア４内を搬送される写真フィルムＦの下面に当接して、写真フィルムＦの中央部近傍の反りを抑えることができる。
【００３６】
図５は、図４のＶＩ−ＶＩ線における開口形成ブロック４３の断面図を示している。図６は、図５の要部部分拡大図である。図７は、第１開口部４４及び２つの第２開口部４５を通過した光の結像位置を示す図である。
【００３７】
開口形成ブロック４３には、図５に示すように、２つの第２開口部４５に対応するように２つのプリズム５３が夫々配置されている。プリズム５３は、ＣＣＤセンサー９上における２つの第２開口部４５を通過した光が結像される領域を変更するために設けられる。本実施形態では、プリズム５３は、後述するように、ＣＣＤセンサー９上におけるコマ画像を透過した光が結像される領域と、バーコード画像を透過した光が結像される領域との間に隙間が形成されないように、バーコード画像を透過した光が結像される領域を、コマ画像を透過した光が結像される領域に対して接近する方向にシフトするように変更する。
【００３８】
プリズム５３は、透明の光学プラスチック又はガラスで形成された屈折光学素子であって、断面が多角形状に形成されている。また、プリズム５３は、その上端部近傍が第２開口部４５内に下方から嵌合されており、その下端部近傍は主走査方向に広がるように配置されている。
【００３９】
プリズム５３は、図６に示すように、第２開口部４５の上端部とほぼ同じ面上にある入射面５３ａと、入射面５３ａの下方において入射面５３ａと対向する位置に配置された反射面５３ｂと、第２開口部４５と第１開口部４４との間で反射面５３ｂに対向する位置に配置された反射面５３ｃと、反射面５３ｃの下方において反射面５３ｃと対向する位置に配置された出射面５３ｄとを有している。なお、反射面５３ｂ，５３ｃは、夫々水平面に対してα゜，β゜だけ傾斜している。
【００４０】
従って、写真フィルムＦのバーコード画像を透過して第２開口部４５を通過した光は、光のプリズム５３内における光路が破線で描かれている図６から分かるように、プリズム５３内に入射面５３ａから入射する。そして、入射面５３ａから入射した光は、プリズム５３内を直進して、反射面５３ｂにおいてもう１つの反射面５３ｃに向う方向に反射される。その後、プリズム５３内を直進して、反射面５３ｃにおいて出射面５３ｄに向う方向に反射されて、最終的に出射面５３ｄからＣＣＤセンサー９に向って出射される。
【００４１】
このように、第２開口部４５を通過した光の光路は、プリズム５３内を通過することによって、プリズム５３が配置されていない場合の第２開口部４５を通過した光の光路とは異なる方向に変更される。そして、プリズム５３の出射面５３ｄから出射された光は、図７に示すように、レンズユニット８に入射することによって、ＣＣＤセンサー９の結像面上に結像される。このように、プリズム５３は、バーコード画像を透過した光が結像される領域を、コマ画像を通過した光が結像される領域に接近させる方向にシフトさせる機能を有する。より具体的には、コマ画像についての結像領域と、バーコード画像についての結像領域とが隙間なく配置されるようにする。隙間は全くないことが好ましいが、数画素分の間隔が開いた状態でもよい。
【００４２】
＜減光部材の構成＞
次に、減光部材としてのＮＤフィルター３０について説明する。図５、図６に示すように、ＮＤフィルター３０は第2開口部４５に対向する位置に夫々設けられる。第２開口部４５は２つあるのでＮＤフィルター３０も２つ設けられる。ＮＤフィルター３０は、カバー部材４１の方に取り付けられ、ＮＤフィルター３０とプリズム５３の間に写真フィルムＦが通過するための空間が形成される。
【００４３】
既に述べたように、オーバー露光のコマ画像をＣＣＤセンサー９で読み取る時に、バーコード画像に形成されている明るい部分に影響されてブルーミングやスミアといった現象の発生を防止する必要がある。そこで、バーコード画像に入射される光量をＮＤフィルター３０により減少させ、ブルーミング等の発生を防止している。ＮＤフィルター３０は適宜の材質のものを使用することができるが、透過率は２５％〜３０％にすることが好ましい。透過率が３０％を超えると、ブルーミングやスミアが発生する可能性がある。逆に２５％未満だと、ＣＣＤセンサー９へ到達する光量が低下しすぎてしまい、適正露光のコマ画像において、読み取りに時間がかかり過ぎるという別の問題が生じる。すなわち、ＣＣＤ蓄積時間を長くする仕様において、ＣＣＤの電荷がオーバーフローしないような透過率の設定となっている。
【００４４】
ＮＤフィルター３０の配置構成は図５、図６に示すものに限定されるものではない。図５ではカバー部材４１の方にＮＤフィルター３０を取り付けているが、ベース部材４０の開口形成ブロック４３の方にＮＤフィルター３０を取り付けてもよい。図９に示すように、第２開口部４５のフィルム面に近い側にＮＤフィルター３０を取り付け、その下部にプリズム５３を配置するようにしても良い。また、ＮＤフィルター３０は、その他のバーコード画像（ＤＸコード）を読み取るための光路中に配置することができる。
【００４５】
このようにバーコード画像については光量を低下させた状態で画像データを取得することになるので、バーコード画像については、ゲインを上げるような信号処理を施すことが好ましい。図１において、データ処理部１０がこの信号処理手段として機能する。バーコード画像は、基本的に０か１かの二値化信号として処理されるが、光量低下に伴い、二値化処理をするときのしきい値の設定が厳格になる可能性がある。そこで、上記のようにゲインを上げることで、ダイナミックレンジを拡張させ、正確なデータをバーコード画像から抽出することができる。
【００４６】
＜別実施形態＞
ＮＤフィルターについては、これを独立した部材ではなく、例えば、プリズム５３の入射面５３ａにＮＤフィルターとして機能する物質を蒸着して形成しても良い。
【００４７】
画像読み取り用光源としては、ハロゲンランプではなく、ＬＥＤ等の他の種類の光源でも良い。
【図面の簡単な説明】
【００４８】
【図１】スキャナー（画像読取装置）を含む写真処理システムの構成を示す模式図
【図２】画像読取装置の概略構成を示す図
【図３】開口形成ブロックの構成を示す斜視図
【図４】開口形成ブロックの構成を示す平面図
【図５】図４のＶＩ−ＶＩ線における開口形成ブロックの断面図
【図６】図５の要部部分拡大図
【図７】第１・第２開口部を通過した光線の光路を示す図
【図８】ＮＤフィルターの別配置例を示す図
【図９】写真フィルムの構成を示す図
【符号の説明】
【００４９】
１      画像読取装置
４      フィルムキャリア
９      ＣＣＤラインセンサー
１０    データ処理部
１２    印字装置
３０    ＮＤフィルター
４３    開口形成ブロック
４４    第１開口部
４５    第２開口部
４６    隔壁
５３    プリズム
１００  コマ画像
１０１  パーフォレーション
１０２  バーコード画像
Ｌ      光軸
Ｆ      写真フィルム
【図１】
2005223615.tif 000003
【図２】
2005223615.tif 000004
【図３】
2005223615.tif 000005
【図４】
2005223615.tif 000006
【図５】
2005223615.tif 000007
【図６】
2005223615.tif 000008
【図７】
2005223615.tif 000009
【図８】
2005223615.tif 000010
【図９】
2005223615.tif 000011